(57)【特許請求の範囲】
【請求項１】
階段の両側または片側に手摺を有し、
前記手摺は、下桟と上桟との間に複数の手摺子を有し、
前記下桟は基部に上方に立ち上がった一対の立上部を有し、
前記手摺子の下端を前記立上部間の溝に嵌合して固定具により結合し、
前記立上部間の溝を第１の塞ぎ部材により閉塞し、
前記手摺子と前記立上部とによって形成される鋭角状のコーナー部に手指の入り込みを防ぐ第２の塞ぎ部材を設け、
前記第２の塞ぎ部材は、前記第１の塞ぎ部材の天板部に重ねる板状部と、前記板状部の下端から傾斜して形成され、前記コーナー部を埋める板状部と、前記コーナー部を埋める板状部の両側に形成され、前記手摺子の両側面を覆う延出部とを備えたことを特徴とする階段。
【請求項２】
請求項１において、
前記第１の塞ぎ部材と第２の塞ぎ部材は伸縮可能に結合されると共に、両者の係合部を相互間の滑りを防止する形状に形成した
ことを特徴とする階段。
【発明の詳細な説明】
【０００１】
【発明の属する技術分野】
本発明は、主として住宅用に使用され、両側または片側に手摺を有し、前記手摺は、下桟と上桟との間に複数の手摺子を設けてなる階段に関する。
【０００２】
【従来の技術】
住宅のバルコニーに上がるための階段や、二階の玄関や勝手口に上がるための階段等は、左右の側板上に手摺を有する。この手摺は、下桟の上面に２条の立上部を設け、該立上部間の溝に手摺子（格子）の下端を嵌合して固定具により結合する構造を有する。このような階段においては、手摺子は鉛直に設置される。
【０００３】
【発明が解決しようとする課題】
このような階段において、立上部は上方に突出して形成されているので、昇降するものが誤って脚を踏み外した際に、立上部に手指が掛かり、手指に怪我をするおそれがある。また、下桟は傾斜して設置され、手摺子は鉛直に設置されるので、下桟の立上部と手摺子と間の上側のコーナー部においては、両者のなす角度が鋭角となる。このように、前記コーナー部が鋭角をなすため、昇降の際に手指をその鋭角状のコーナー部に入れ込むおそれがある。階段が急になるほど前記コーナー部の角度が小さくなるため、前記コーナー部にますます手指を入れ込み、怪我をするおそれがある。
【０００４】
本発明は、上記問題点に鑑み、下桟の立上部や、手摺の下桟と手摺子との間の上側の鋭角をなすコーナー部による指の怪我の発生を防止しうる構造の階段を提供することを目的とする。
【０００５】
【課題を解決するための手段】
請求項１の階段は、階段の両側または片側に手摺を有し、
前記手摺は、下桟と上桟との間に複数の手摺子を有し、
前記下桟は基部に上方に立ち上がった一対の立上部を有し、
前記手摺子の下端を前記立上部間の溝に嵌合して固定具により結合し、
前記立上部間の溝を第１の塞ぎ部材により閉塞し、
前記手摺子と前記立上部とによって形成される鋭角状のコーナー部に手指の入り込みを防ぐ第２の塞ぎ部材を設け、
前記第２の塞ぎ部材は、前記第１の塞ぎ部材の天板部に重ねる板状部と、前記板状部の下端から傾斜して形成され、前記コーナー部を埋める板状部と、前記コーナー部を埋める板状部の両側に形成され、前記手摺子の両側面を覆う延出部とを備えたことを特徴とする。
【０００６】
請求項２の階段は、請求項１において、
前記第１の塞ぎ部材と第２の塞ぎ部材は伸縮可能に結合されると共に、両者の係合部を相互間の滑りを防止する形状に形成した
ことを特徴とする。
【０００７】
【発明の実施の形態】
図１は本発明による階段の一実施の形態を示す分解斜視図、図２は該階段の部分斜視図、図３は該階段の踏板の取付け構造を示す斜視図である。図１ないし図３において、１は梯子の側板、２は左右の側板１間に架設される踏板、３は側板２上に設けられる手摺である。手摺３は上桟４と下桟５と両者間に設けられる手摺子６とからなる。前記側板１、踏板２、上桟４、下桟５、手摺子６はアルミニウム合金形材からなる。
【０００８】
本実施の形態においては、この階段は設置する場所の広さ等に合わせて側板１の角度が調整できるようにするため、踏板２は側板１に対して上面の角度が変更できるように構成される。このような踏板２の角度が調整可能となるように、図３に示す調整機構が設けられる。
【０００９】
すなわち、側板１は内側の面に矢印Ａに示すように、長手方向に移動可能に可動板７を有し、踏板２の下面の両端にはブラケット８を固定具９により固定し、ブラケット８の一端側の孔にボルト１０を挿通して可動板７に収容したナット（図示せず）に螺合して固定し、ブラケット８の他端側は、ブラケット８に設けた長孔１１に挿通するボルト１２を側板１に収容したナット（図示せず）に螺合して固定する構造を有する。
【００１０】
このため、側板１の設置角度に合わせて可動板７を矢印Ａの方向に移動させ、踏板２の上面が水平になったところでタッピングねじ等の固定具１４によって可動板７を側板１に固定することにより、階段の設置角度に対応して踏板２を水平に設置することができる。
【００１１】
また、図２に示すように、下桟５は、側板１の上面に嵌合される断面形状が逆Ｕ字形の基部５ａを有し、該基部５ａはタッピングねじ等の固定具１５により側板１に固定される。該下桟５の基部５ａの上面には一対の立上部５ｂを有し、これらの立上部５ｂ間の溝５ｃに手摺子６の下端側面を嵌め、ボルトやタッピングねじ等の固定具１６で結合することにより、手摺子６は下桟５に対して固定具１６を中心に回動可能に結合される。
【００１２】
手摺子６の上端は、上桟４に対し、ボルトやタッピングねじ等の固定具１７により結合され、手摺子６は上桟４に対して固定具１７を中心に回動自在である。このため、階段の設置角度、すなわち側板１の設置角度に係らず、手摺子６が常に鉛直になるように設置することができる。
【００１３】
なお、側板１の上端はブラケット（図示せず）を介してバルコニーのフレームや建物の躯体に結合される。また、上桟４上には笠木が取付けられ、その上端は躯体（図示せず）にブラケットを介して結合されるが、図示を省略している。また、その笠木の下端は別の支柱（図示せず）を介して側板１の下部に固定される。また、側板１の下端には角度調整自在にアンカー（図示せず）が取付けられ、そのアンカーが地面の受部に固定される。
【００１４】
前記下桟５の立上部５bは狭幅であるため、昇降する者が階段から足を踏み外した際に、この立上部５ｂに手指がかかり、手指の力がこの立上部５ｂに集中すると手指が怪我をするおそれがある。また、立上部５bと手摺子６との間の上側のコーナー部１８は鋭角をなす。このため、この上側のコーナー部１８に手摺が入り込み、怪我をするおそれがある。
【００１５】
このため、本実施の形態においては、図４（Ａ）の斜視図および図４（Ｂ）の断面図に示すように、溝５ｃを塞ぐ第１の塞ぎ部材２０と、コーナー部１８を塞ぐ第２の塞ぎ部材２１とを設ける。
【００１６】
本実施の形態においては、前記第１の塞ぎ部材２０は図５（Ａ）の側面図、図５（Ｂ）の底面図、図５（Ｃ）の正面図、図５（Ｄ）の底面拡大図に示す構造を有する。すなわち、該第１の塞ぎ部材２０は合成樹脂製またはアルミニウム合金製の形材であり、断面形状が天板部２０ａとその両側から下方に延出した側板部２０ｂとからなる逆Ｕ字形をなし、両側板部２０ｂの下端の外側には、立上部５ｂに設けた係止段部５ｄ（図４（Ｂ）参照）に係止する係止爪２０ｃを有する。また、下方の側板部２０ｂの内側面には、第２の塞ぎ部材２１との結合時のずれを防止する波状の凹凸部からなる係合部２０ｄを有する。該第１の塞ぎ部材２０の上端は傾斜面２０ｅに形成される。該傾斜面２０ｅの傾斜角度は、階段の傾斜角度が最大となるものの場合に、施工後の状態において、傾斜面２０ｅが垂直をなす角度に設定される。
【００１７】
一方、前記第２の塞ぎ部材２１は、第１の塞ぎ部材２０と同様に、合成樹脂製またはアルミニウム合金製の形材でなる。該第２の塞ぎ部材２１の構造は、図６（Ａ）の上面側より見た斜視図、図６（Ｂ）の正面図、図６（Ｃ）の下面側より見た斜視図、図６（Ｄ）の側面図、図６（Ｅ）の底面図に示す通りである。
【００１８】
該第２の塞ぎ部材２１は、図４（Ａ）、図４（Ｂ）に示すように、立上部５ｂ、５ｂの間の溝５ｃと手摺子６との間に第１の塞ぎ部材２０に結合して取付けられるものである。
【００１９】
該第２の塞ぎ部材２１は、前記第１の塞ぎ部材２０の上面に重ねる板状部２１ａを有し、該板状部２１ａの下端には板状部２１ａに対してほぼ垂直に形成された溝５ｃへの挿入部２１ｂを有し、該挿入部２１ｂには、前記第１の塞ぎ部材２０内に嵌合する左右の係合片２１ｃを有する。各係合片２１ｃの外面は、前記凹凸部として形成された係合部２０ｄに滑り止めして係合させる波状の凹凸部からなる係合部２１ｄを有する。該係合片２１ｃと前記板状部２１ａとの間には、前記第１の塞ぎ部材２０の天板部２０ａを嵌合する隙間２１ｅが形成される。
【００２０】
前記板状部２１ａの下端から傾斜してコーナー部１８の鋭角部を埋める板状部２１ｆが形成され、該板状部２１ｆの先端から下桟５側に曲成されかつ手摺子６に弾発的に当接させる押し当て片２１ｈを形成している。
【００２１】
前記コーナー部１８を埋める板状部２１ｆの両側には、前記押し当て片２１ｈの両側および手摺子６の両側面を覆う平行な延出部２１ｉが延出して設けられている。この延出部２１ｉは種々の階段の角度に兼用できるよう延出幅に形成される。
【００２２】
これらの塞ぎ部材２０、２１は、第２の塞ぎ部材２１の板状部２１ａと係合片２１ｃとの間の隙間２１ｅに第１の塞ぎ部材２０の天板部２０ａを嵌め、かつ第１の塞ぎ部材２０内に第２の塞ぎ部材２１の係合片２１を嵌め込んで結合する。このとき、第１の塞ぎ部材２０の波状の凹凸部からなる係合部２０ｄに第２の塞ぎ部材２１の波状の凹凸部からなる係合部２１ｄが係合することにより、塞ぎ部材２０、２１どうしの長手方向への容易な移動が阻止される。
【００２３】
このように両塞ぎ部材２０、２１を結合した状態で第１の塞ぎ部材２０を溝５ｃに押し込む。この時、第１の塞ぎ部材２０の側板２０ｂが撓んだ状態で押し込まれ、側板部２０ｂの先端が溝５ｃの底部に達したところで係止爪２０ｃが立上部５ｂの係止段部５ｄに弾発的に係止される。次に、第１の塞ぎ部材２０と第２の塞ぎ部材２１との組合わせ体の長さが伸びるように引き延ばして押し当て片２１ｈを手摺子６に押し当て、第１の塞ぎ部材２０の上端を上方に隣接する手摺子６に押し当てる。これにより、手摺子６、６間の間隔の大小や階段の傾斜角に関わりなく、塞ぎ部材２０、２１の組合わせ体が、隣接する手摺子６、６間に隙間なく取付けられる。
【００２４】
このように、溝５ｃを第１の塞ぎ部材２０で埋めることにより、立上部５ｂが突出することが防止され、立上部５ｂによって手指が怪我をするおそれが無くなる。また、コーナー部１８を第２の塞ぎ部材２１で覆っているので、この鋭角状のコーナー部１８に過誤により手指を入れ込んで怪我をすることを防ぐことができる。
【００２５】
また、第２の塞ぎ部材２１に前記延出部２１ｉを設ければ、階段の傾斜角度が比較的緩やかな場合であっても、角度が急峻な場合であっても、いずれも塞ぎ部材２１の側面に隙間が生じることなく、コーナー部１８を塞ぐことができ、１つの部品で種々の角度の階段に対応でき、また、傾斜角度調整可能な階段において、種々の設置角度に対応することができ、経済化が達成できる。
【００２６】
本発明は、階段の傾斜角度が固定となる構造のものや、下桟５が側板１に一体に形成される場合にも適用できる。さらに本発明を実施する場合、側板１、踏板２、上桟４、下桟５、手摺子６、塞ぎ部材２０、２１等の具体的形状、構造は種々に変更、付加することができる。
【００２７】
【発明の効果】
請求項１によれば、立上部間の溝を第１の塞ぎ部材により閉塞し、
前記手摺子と前記立上部とによって形成される鋭角状のコーナー部に手指の入り込みを防ぐ第２の塞ぎ部材を設けたので、立上部の上端により手指を怪我したり、コーナー部に手指が入り込んで怪我をするおそれがなくなる。また、第２の塞ぎ部材に前記延出部を設けたので、階段の傾斜角度が比較的緩やかな場合であっても、角度が急峻な場合であっても、いずれも第２の塞ぎ部材の側面に隙間が生じることなく、コーナー部を塞ぐことができ、１つの部品で種々の角度の階段に対応でき、また、傾斜角度調整可能な階段において、種々の設置角度に対応することができ、経済化が達成できる。
【００２８】
請求項２によれば、第１の塞ぎ部材と第２の塞ぎ部材は伸縮可能に結合されると共に、両者の係合部を相互間の滑りを防止する形状に形成したので、手摺子の間隔や、階段の傾斜角度が異なる種々のものに適用でき、経済化が達成される。
【図面の簡単な説明】
【図１】本発明による階段の一実施の形態を示す分解斜視図である。
【図２】図１の階段の組立て状態を示す部分拡大図である。
【図３】図１、図２の実施の形態における踏板の側板への取付け構造を示す斜視図である。
【図４】（Ａ）は本発明による階段の一実施の形態における第１の塞ぎ部材を施工状態で示す斜視図、（Ｂ）はその断面図である。
【図５】（Ａ）は本発明による階段の一実施の形態における第１の塞ぎ部材を示す側面図、（Ｂ）はその正面図、（Ｃ）はその正面図、（Ｄ）、はその一部拡大底面図である。
【図６】（Ａ）は本発明による階段の一実施の形態における第２の塞ぎ部材を上面側より見た斜視図、（Ｂ）はその正面図、（Ｃ）はその下面側より見た斜視図、（Ｄ）はその側面図、（Ｅ）はその底面図である。
【符号の説明】
１：側板、２：踏板、３：手摺、４：上桟、５：下桟、５ａ：基部、５ｂ：立上部、５ｃ：溝、５ｄ：係止段部、６：手摺子、７：可動板、８：ブラケット、９：固定具、１０、１２：ボルト、１１：長孔、１４〜１７：固定具、１８：コーナー部、２０：第１の塞ぎ部材、２０ａ：天板部、２０ｂ：側板部、２０ｃ：係止爪、２０ｄ：係合部、２０ｅ：傾斜面、２１：第２の塞ぎ部材、２１ａ：板状部、２１ｂ：挿入部、２１ｃ：係合片、２１ｄ：係合部、２１ｅ：隙間、２１ｆ：板状部、２１ｈ：押し当て片、２１ｉ：延出部
【図１】
0004495848.tif 000002
【図２】
0004495848.tif 000003
【図３】
0004495848.tif 000004
【図４】
0004495848.tif 000005
【図５】
0004495848.tif 000006
【図６】
0004495848.tif 000007